(57)【要約】本発明はモバイル機能を有するネットワークにおけるデータパケットの処理方法に関する。ここで端末機およびデータソースは第１のフォーマットで表されるアドレスが割り当てられた第１のネットワークプロトコルを使用している。データネットワークでは内部のコンピュータに対して第２のフォーマットのアドレスが割り当てられた第２のネットワークプロトコルが使用されている。端末機は１つのホームネットワークに割り当てられており、当該のホームネットワーク内では第１のネットワークプロトコルの第１のフォーマットで表されたホームアドレスを取得し、外部ネットワークでは第２のネットワークプロトコルの第２のフォーマットで表された第２のアドレスを取得する。ここで第１のフォーマットで表された発信元アドレスとしてのホームアドレスおよび宛先アドレスとしてのデータソースのアドレスを含むデータパケットが適合化され、第２のフォーマットで表された発信元アドレスとしての第２のアドレス、宛先アドレスとしてのホームエージェントのアドレスおよびその他のアドレスとしてのデータソースのアドレスを含むデータパケットへ変換される。
2006506869.tif 000002
【特許請求の範囲】
【請求項１】
端末機（ＴＥ）およびデータソース（ＣＮ）は第１のフォーマットで表されるアドレスが割り当てられた第１のネットワークプロトコルを使用しており、データネットワーク（Ｎ）では内部のコンピュータに対して第２のフォーマットで表されるアドレスが割り当てられた第２のネットワークプロトコルが使用されており、第１のネットワークプロトコルのアドレスは第２のフォーマットによっても表すことができる
端末機（ＴＥ）からデータソース（ＣＮ）へデータネットワーク（Ｎ）のホームエージェント（ＨＡ）を介して伝送を行う際のモバイル機能を有するネットワークにおけるデータパケットの処理方法において、
端末機（ＴＥ）を１つのホームネットワーク（Ｎ１）に割り当て、当該の端末機（ＴＥ）がホームネットワーク内にあるときにはこれに第１のネットワークプロトコルの第１のフォーマットで表されたホームアドレス（ＨＡｄ）を取得させ、
端末機（ＴＥ）がホームネットワーク以外の外部ネットワーク（Ｎ２）内にあるときにはこれに第２のネットワークプロトコルの第２のフォーマットで表された第２のアドレス（ＣｏＡ）を取得させ、
第１の処理ステップにおいて、第１のフォーマットで表された発信元アドレスとしてのホームアドレス（ＨＡｄ）および宛先アドレスとしてのデータソース（ＣＮ）のアドレスを含むデータパケットを適合化して、該データパケットが第２のフォーマットで表された発信元アドレスとしての第２のアドレス、宛先アドレスとしてのホームエージェント（ＨＡ）のアドレスおよびその他のアドレスとしてのデータソース（ＣＮ）のアドレスを含むようにする
ことを特徴とするデータパケットの処理方法。
【請求項２】
ホームエージェント（ＨＡ）は第１のネットワークプロトコルのアドレスおよび第２のネットワークプロトコルのアドレスの双方を処理可能であり、端末機（ＴＥ）に第２のフォーマットで表されたホームアドレスを割り当て、該ホームアドレスを変換ステップにおいて第１のフォーマットへ変換する、請求項１記載の方法。
【請求項３】
第１の処理ステップおよび／または変換ステップを端末機（ＴＥ）に接続されたデータ伝送装置（ＭＴ）によって実行する、請求項１または２記載の方法。
【請求項４】
データ伝送装置（ＭＴ）と端末機（ＴＥ）とをＰＰＰコネクション（Point-to-Point Protocol）を介して接続する、請求項３記載の方法。
【請求項５】
第１の処理ステップで適合化されたデータパケットを第２の処理ステップで変更して、該データパケットが第１のフォーマットで表された発信元アドレスとしてのホームアドレス（ＨＡｄ）および宛先アドレスとしてのデータソース（ＣＮ）のアドレスを含むようにし、ここで第１のフォーマットで表されたデータソース（ＣＮ）のアドレスを第１の処理ステップで適合化されたデータパケットのその他のアドレスから求める、請求項１から４までのいずれか１項記載の方法。
【請求項６】
第１の処理ステップで適合化されたデータパケットをデータネットワーク（Ｎ）を介してホームエージェント（ＨＡ）へ伝送し、第２の処理ステップをホームエージェント（ＨＡ）によって実行し、ここで処理ステップに対してホームエージェント（ＨＡ）内に端末機（ＴＥ）の第２のアドレスとホームアドレスとの対応関係が記憶されており、第２の処理ステップで変更されたデータパケットをデータソース（ＣＮ）へ伝送する、請求項５項記載の方法。
【請求項７】
第１のネットワークプロトコルがモバイルＩＰｖ４サポートを有するＩＰｖ４またはモバイルＩＰｖ４サポートを有さないＩＰｖ４であり、第２のネットワークプロトコルがモバイルＩＰｖ６サポートを有するＩＰｖ６であるか、または第１のネットワークプロトコルがモバイルＩＰｖ６サポートを有するＩＰｖ６であり、第２のネットワークプロトコルがモバイルＩＰｖ４サポートを有するＩＰｖ４またはモバイルＩＰｖ４サポートを有さないＩＰｖ４である、請求項１から６までのいずれか１項記載の方法。
【請求項８】
第１の処理ステップで適合化されたデータパケットのその他のアドレスをデータパケットのルーティングヘッダとして記憶する、請求項７記載の方法。
【請求項９】
端末機（ＴＥ）およびデータソース（ＣＮ）は第１のフォーマットで表されるアドレスが割り当てられた第１のネットワークプロトコルを使用しており、データネットワーク（Ｎ）では内部のコンピュータに対して第２のフォーマットで表されるアドレスが割り当てられた第２のネットワークプロトコルが使用されており、第１のネットワークプロトコルのアドレスは第２のフォーマットによっても表すことができる
データソース（ＣＮ）から端末機（ＴＥ）へデータネットワーク（Ｎ）のホームエージェント（ＨＡ）を介して伝送を行う際のモバイル機能を有するネットワークにおけるデータパケットの処理方法において、
端末機（ＴＥ）を１つのホームネットワーク（Ｎ１）に割り当て、当該の端末機（ＴＥ）がホームネットワーク内にあるときにはこれに第１のネットワークプロトコルの第１のフォーマットで表されたホームアドレス（ＨＡｄ）を取得させ、
端末機（ＴＥ）がホームネットワーク以外の外部ネットワーク（Ｎ２）内にあるときにはこれに第２のネットワークプロトコルの第２のフォーマットで表された第２のアドレス（ＣｏＡ）を取得させ、
第１の処理ステップにおいて、第１のフォーマットで表された発信元アドレスとしてのデータソース（ＣＮ）のアドレスおよび宛先アドレスとしてのホームアドレス（ＨＡｄ）を含むデータパケットを適合化して、該データパケットが第２のフォーマットで表された発信元アドレスとしてのホームエージェント（ＨＡ）のアドレス、宛先アドレスとしての端末機の第２のアドレス（ＣｏＡ）およびその他のアドレスとしてのデータソース（ＣＮ）のアドレスを含むようにする
ことを特徴とするデータパケットの処理方法。
【請求項１０】
適合化すべきデータパケットをデータソース（ＣＮ）からホームエージェント（ＨＡ）へ伝送し、第１の処理ステップをホームエージェント（ＨＡ）によって実行し、ここで処理ステップに対してホームエージェント（ＨＡ）内に第２のアドレス（ＣｏＡ）と端末機のホームアドレス（ＨＡｄ）との対応関係が記憶されている、請求項９記載の方法。
【請求項１１】
第１の処理ステップで適合化されたデータパケットを第２の処理ステップで変更して、該データパケットが第１のフォーマットで表された発信元アドレスとしてのデータソース（ＣＮ）のアドレスおよび宛先アドレスとしてのホームアドレス（ＨＡｄ）を含むようにし、ここで第１のフォーマットで表されたデータソース（ＣＮ）のアドレスを第１の処理ステップで適合化されたデータパケットのその他のアドレスから求める、請求項９または１０記載の方法。
【請求項１２】
第１の処理ステップで適合化されたデータパケットをデータネットワーク（Ｎ）を介して端末機（ＴＥ）に接続されたデータ伝送装置（ＭＴ）へ伝送し、第２の処理ステップをデータ伝送装置（ＭＴ）によって実行し、第２の処理ステップで変更されたデータパケットをデータ伝送装置（ＭＴ）から端末機（ＴＥ）へ伝送する、請求項１１記載の方法。
【請求項１３】
データ伝送装置（ＭＴ）と端末機（ＴＥ）とをＰＰＰコネクション（Point-to-Point Protocol）を介して接続する、請求項１２記載の方法。
【請求項１４】
第１のネットワークプロトコルがモバイルＩＰｖ４サポートを有するＩＰｖ４またはモバイルＩＰｖ４サポートを有さないＩＰｖ４であり、第２のネットワークプロトコルがモバイルＩＰｖ６サポートを有するＩＰｖ６であるか、または第１のネットワークプロトコルがモバイルＩＰｖ６サポートを有するＩＰｖ６であり、第２のネットワークプロトコルがモバイルＩＰｖ４サポートを有するＩＰｖ４またはモバイルＩＰｖ４サポートを有さないＩＰｖ４である、請求項９から１３までのいずれか１項記載の方法。
【請求項１５】
第１の処理ステップで適合化されたデータパケットのその他のアドレスをデータパケットのルーティングヘッダとして記憶する、請求項１４記載の方法。
【請求項１６】
請求項１または９記載の第１の処理ステップを実行するように構成されている
ことを特徴とするデータ伝送装置。
【請求項１７】
モバイル機、例えば移動無線端末機である、請求項１６記載のデータ伝送装置。
【請求項１８】
データソース（ＣＮ）と端末機（ＴＮ）とのあいだのデータ伝送を行うために、請求項１から１６までのいずれか１項記載のデータパケットの処理方法を実行するように構成されている
ことを特徴とするモバイル機能を有するデータネットワーク。
【請求項１９】
一部はインターネットである、請求項１８記載のデータネットワーク。
【請求項２０】
ホームネットワーク（Ｎ１）および／または外部ネットワーク（Ｎ２）は無線ネットワークであり、該無線ネットワークは例えばＧＰＲＳおよび／またはワイヤレスＬＡＮおよび／またはＢｌｕｅｔｏｏｔｈおよび／またはＵＭＴＳおよび／またはＣＭＤＡ２０００をベースとしている、請求項１８または１９記載のデータネットワーク。
【発明の詳細な説明】
【技術分野】
【０００１】
本発明は、モバイル機能を有するネットワークにおけるデータパケットの処理方法、相応のデータネットワーク、およびデータ伝送装置に関する。
【０００２】
モバイル機能を有するデータネットワークでは、ホームネットワークにおいて既知である移動端末機（例えばラップトップコンピュータまたはＰＤＡ）が外部ネットワークへ移動しても、当該の移動端末機へ向かって送信されたデータがきちんと到来することが保証される。
【０００３】
こんにちではモバイル機能を有するデータネットワークにおいて使用される複数のプロトコルが知られている。例えばモバイルＩＰｖ４サポートを有するインターネットプロトコルＩＰｖ４（http://www.ietf.org/rfc/rfc2002.txtを参照）またはモバイルＩＰｖ６サポートを有するインターネットプロトコルＩＰｖ６などである（http://www.ietf.org/ids.by.wg/mobileip.htmlを参照）。
【０００４】
モバイル機能を有さないデータネットワークでは、異なるネットワークプロトコルを使用するコンピュータどうしのあいだで通信を行う伝送メカニズムが知られている。特に、ＩＰｖ４プロトコルのアドレスをＩＰｖ６プロトコルのアドレスへ変換できるプロトコル伝送メカニズムＮＡＴ−ＰＴ（Network Address Translation-Protocol Translation）が公知である（http://www.ietf.org/rfc/rfc2766.txtを参照）。ただしこの公知のメカニズムはモバイル機能を有するデータネットワークのためのものではなく、ネットワークセキュリティに不安があるなど、幾つかの欠点も有する。
【０００５】
したがって本発明の課題は、モバイル機能を有するネットワークにおけるデータパケットの処理方法を提供し、モバイル機能のほか、種々のネットワークプロトコルを使用できるようにすることである。
【０００６】
この課題は独立請求項の特徴部分に記載の構成により解決される。本発明の実施形態は従属請求項に記載の構成から得られる。
【０００７】
本発明の方法の第１の態様は端末機からデータソースへデータネットワークのホームエージェントを介して伝送を行う際のモバイル機能を有するネットワークにおけるデータパケットの処理方法に関する。端末機およびデータソースは第１のフォーマットで表されるアドレスが割り当てられた第１のネットワークプロトコルを使用している。これに対してデータネットワークでは内部のコンピュータに対して第２のフォーマットで表されるアドレスが割り当てられた第２のネットワークプロトコルが使用されており、第１のネットワークプロトコルのアドレスは第２のフォーマットによっても表すことができる。ここで端末機は１つのホームネットワークに割り当てられ、当該の端末機がホームネットワーク内にあるときにはこれは第１のネットワークプロトコルの第１のフォーマットで表されたホームアドレスを取得し、端末機がホームネットワーク以外の外部ネットワーク内にあるときにはこれに第２のネットワークプロトコルの第２のフォーマットで表された第２のアドレスを取得する。第１の処理ステップにおいて、第１のフォーマットで表された発信元アドレスとしてのホームアドレスおよび宛先アドレスとしてのデータソースのアドレスを含むデータパケットが適合化されて、このデータパケットが第２のフォーマットで表された発信元アドレスとしての第２のアドレス、宛先アドレスとしてのホームエージェントのアドレスおよびその他のアドレスとしてのデータソースのアドレスを含むように変換される。こうした処理により、データパケットのアドレスが第１のネットワークプロトコルから第２のネットワークプロトコルへ変換され、変換されたアドレスによりデータパケットがモバイル機能を有するデータネットワークにおいてホームエージェントへ確実に転送される。したがってデータパケットの正確なルーティングが保証される。
【０００８】
有利な実施形態では、ホームエージェントとしていわゆるデュアルスタックドコンピュータが使用される。このコンピュータは第１のネットワークプロトコルのデータパケットも第２のネットワークプロトコルのデータパケットも処理することができる。こうしたホームエージェントを使用すると、端末機に対して第１のネットワークプロトコルのホームアドレスがホームエージェントによって第２のフォーマットで割り当てられ、続いてこのホームアドレスが変換ステップにおいて第１のフォーマットへ変換される。有利な別の実施形態では、第１の処理ステップおよび／または変換ステップは端末機に接続されたデータ伝送装置によって実行される。このようにしてデータ伝送装置は端末機からデータパケットの処理を分離し、これを引き受ける。有利には、処理すべきデータパケットは端末機からＰＰＰコネクション（Point-to-Point Protocol）を介してデータ伝送装置へ伝送される。
【０００９】
第１の処理ステップで処理されたデータパケットを適切にデータソースへ転送するために、有利には、第２の処理ステップが実行される。この第２の処理ステップでは、第１の処理ステップで適合化されたデータパケットが変更されて、このデータパケットが第１のフォーマットで表された発信元アドレスとしてのホームアドレスおよび宛先アドレスとしてのデータソースのアドレスを含むようにされる。ここでは第１のフォーマットで表されたデータソースのアドレスが第１の処理ステップで適合化されたデータパケットのその他のアドレスから求められる。このようにして第１のネットワークプロトコルでのデータパケット、すなわちデータソースによって処理可能なデータパケットが形成される。有利には、第１の処理ステップで適合化されたデータパケットがデータネットワークを介してホームエージェントへ伝送され、当該の第２の処理ステップがホームエージェントによって実行される。この処理ステップに対してホームエージェントに端末機の第２のアドレスとホームアドレスとの対応関係が記憶される。次いで第２の処理ステップで変更されたデータパケットがデータソースへ伝送される。
【００１０】
有利な別の実施形態では、第１のネットワークプロトコルがモバイルＩＰｖ４サポートを有するＩＰｖ４またはモバイルＩＰｖ４サポートを有さないＩＰｖ４であり、第２のネットワークプロトコルがモバイルＩＰｖ６サポートを有するＩＰｖ６であるか、または第１のネットワークプロトコルがモバイルＩＰｖ６サポートを有するＩＰｖ６であり、第２のネットワークプロトコルがモバイルＩＰｖ４サポートを有するＩＰｖ４またはモバイルＩＰｖ４サポートを有さないＩＰｖ４である。
【００１１】
本発明の方法の第２の態様は、データソースから端末機へデータネットワークのホームエージェントを介して伝送を行う際のモバイル機能を有するネットワークにおけるデータパケットの処理方法に関する。つまりこの第２の態様では第１の態様の反対方向で伝送が行われる。このとき、第１の処理ステップにおいて、第１のフォーマットで表された発信元アドレスとしてのデータソースのアドレスおよび宛先アドレスとしてのホームアドレスを含むデータパケットが適合化されて、第２のフォーマットで表された発信元アドレスとしてのホームエージェントのアドレス、宛先アドレスとしての第２のアドレスおよびその他のアドレスとしてのデータソースのアドレスを含むパケットとなるように変換される。これにより第１のネットワークプロトコルのアドレスが第２のネットワークプロトコルのアドレスへ確実に変換される。さらにデータパケットがデータネットワークにおいて正しく転送されることが保証される。
【００１２】
有利な実施形態では、適合化すべきデータパケットがデータソースからホームエージェントへ伝送され、第１の処理ステップがホームエージェントによって実行される。この処理ステップに対してホームエージェントには第２のアドレスと端末機のホームアドレスとの対応関係が記憶されている。
【００１３】
有利には、第１の処理ステップで適合化されたデータパケットが第２の処理ステップで変更され、このデータパケットが第１のフォーマットで表された発信元アドレスとしてのデータソースのアドレスおよび宛先アドレスとしてのホームアドレスを含むようにされる。ここで第１のフォーマットで表されたデータソースのアドレスが第１の処理ステップで適合化されたデータパケットのその他のアドレスから求められる。これにより端末機へのデータパケットの適正な転送が保証される。
【００１４】
特に有利には、第１の処理ステップで適合化されたデータパケットはデータネットワークを介して端末機に接続されたデータ伝送装置へ伝送され、第２の処理ステップがデータ伝送装置によって実行され、第２の処理ステップにおいて変更されたデータパケットがデータ伝送装置から端末機へ伝送される。これにより処理ステップの機能の一部が端末機の構成要素ではない別個のデータ伝送装置によって引き受けられる。したがって端末機は処理ステップから分離され、処理されたデータパケットはデータ伝送装置と端末機とのあいだのコネクションを介して転送される。
【００１５】
データ伝送装置と端末機とのあいだのコネクションは、有利には、取り扱いの簡単なＰＰＰコネクション（Point-to-Point Protocol）である。
【００１６】
第１の態様と同様に、第２の態様においても、第１のネットワークプロトコルがモバイルＩＰｖ４サポートを有するＩＰｖ４またはモバイルＩＰｖ４サポートを有さないＩＰｖ４であり、第２のネットワークプロトコルがモバイルＩＰｖ６サポートを有するＩＰｖ６であるか、または第１のネットワークプロトコルがモバイルＩＰｖ６サポートを有するＩＰｖ６であり、第２のネットワークプロトコルがモバイルＩＰｖ４サポートを有するＩＰｖ４またはモバイルＩＰｖ４サポートを有さないＩＰｖ４である。さらに、第１の処理ステップにおいて適合化されたデータパケットはデータパケットのルーティングヘッダとして記憶される。
【００１７】
上述のデータパケットの処理方法のほか、本発明はデータ伝送装置にも関しており、これはデータパケットの処理方法の第１の態様の第１の処理ステップおよい第２の態様の第１の処理ステップを実行するように構成されている。このようにして、本発明のデータパケットの処理方法の主たる機能を端末機から独立に処理できる別個のデータ伝送装置が形成される。有利には、このデータ伝送装置はモバイル機、例えば移動無線端末機であり、簡単にデータネットワークへのコネクションを形成することができる。
【００１８】
本発明はさらにデータネットワークにも関しており、これはデータソースと端末機とのあいだのデータ伝送を行うために本発明のデータパケットの処理方法を実行するように構成されている。この種のデータネットワークでは、ホームネットワークおよび／または外部ネットワークは無線ネットワークであり、無線ネットワークは例えばＧＰＲＳおよび／またはワイヤレスＬＡＮおよび／またはＢｌｕｅｔｏｏｔｈおよび／またはＵＭＴＳおよび／またはＣＭＤＡ２０００をベースとしている。また有利には、データネットワークの一部はインターネットである。
【００１９】
本発明の実施例を以下に図に則して詳細に説明する。
【００２０】
図１には本発明のデータ処理方法を実行可能なデータネットワークの概略図が示されている。図２には端末機内およびデータ伝送装置内で処理されるプロトコル層の概略図が示されている。
【００２１】
図１に示されているデータネットワークＮはホームエージェントＨＡ、複数のルータＲ１〜Ｒ４およびアクセスルータＡＲ１，ＡＲ２を有する。２つのアクセスルータＡＲ１，ＡＲ２は異なる２つの移動無線網であるサブネットワークＮ１，Ｎ２へ接続されている。サブネットワークＮ１は端末機ＴＥのホームネットワークであり、有利には移動機、例えばラップトップコンピュータである。端末機ＴＥはデータコネクションＤＬを介して移動データ伝送装置ＭＴに接続されており、ここでデータ伝送装置はサブネットワークへログインされている。
【００２２】
データネットワークＮはさらにデータソースＣＮに接続されており、データネットワークＮを介して端末機ＴＥとデータソースＣＮとのあいだでデータが交換される。当該のデータネットワークＮは移動機能、有利にはモバイルＩＰｖ６データネットワークである。こうしたデータネットワークではデータがデータパケットの形式で送信され、データパケットのヘッダにはその発信元アドレスおよび宛先アドレスが記憶されている。データネットワークの移動機能により、ホームネットワークＮ１に存在する端末機ＴＥがホームネットワークの外側に存在する外部ネットワークＮ２へ移動可能となり、さらにデータパケットが外部ネットワーク内に存在する端末機へ転送されることが保証される。データソースＣＮから端末機ＴＥへ送信すべきデータはホームエージェントＨＡを介して転送される。このときホームエージェントはデータが外部ネットワークへも達するようにこれを修正する。図１のデータネットワークでは本発明の方法の所定の処理ステップがデータ伝送装置ＭＴで行われる。これについて以下に説明する。また付加的なデータ伝送装置を使用せず、データ伝送装置によって行われる処理ステップを直接に端末機で行ってもよい。
【００２３】
以下に本発明の方法を実施例に則して説明する。ここではデータネットワークＮはモバイルＩＰｖ６ネットワークＭＩＰｖ６であり、これに対してデータソースＣＮおよび端末機ＴＥはインターネットプロトコルＩＰｖ４を使用している。ＭＩＰｖ６についての詳細については既述のインターネットページhtttp://www.ietf.org/ids.by.wg/mobileip.htmlを参照されたい。
【００２４】
データ伝送装置ＭＴがホームネットワーク内に存在している場合、この装置はデータネットワークのホームエージェントＨＡでのホームアドレスをオーダーする。このときホームアドレスとしてＭＩＰｖ６フォーマットで書かれたＩＰｖ４アドレスが使用される。ＩＰｖ４アドレスはデータ伝送装置ＭＴによってＩＰｖ４フォーマットへ変換され、端末機ＴＥへ割り当てられる。データパケットを端末機からデータソースへ伝送する際には、端末機はまず、ＩＰｖ４フォーマットにより発信元アドレスとしてのＩＰｖ４ホームアドレスと宛先アドレスとしてのデータソースＣＮのＩＰｖ４アドレスとをヘッダに含むデータパケットを形成する。このデータパケットは最初にデータコネクションＤＬを介してデータ伝送装置ＭＴへ伝送される。ここでデータ伝送装置にはＭＩＰｖ６フォーマットでの第２のＭＩＰｖ６アドレスＣｏＡが割り当てられている。この第２のアドレスはデータ伝送装置が外部ネットワーク内に存在する場合には、その外部アドレスである。次にデータ伝送装置はデータパケットヘッダをＭＩＰｖ６ヘッダへ変換する。変換されたヘッダはＭＩＰｖ６フォーマットにより、発信元アドレスとしての外部アドレスＣｏＡと宛先アドレスとしてのホームエージェントのアドレスとを含む。さらにデータソースのＩＰｖ４アドレスをＭＩＰｖ６フォーマットで含むルーティングヘッダＲＨが形成される。データパケットのペイロードおよびその他のヘッダオプションは変更されずにとどまる。
【００２５】
このデータパケットは通常のようにホームエージェントへ伝送される。ホームエージェントはデータパケットのヘッダをＩＰｖ４フォーマットの発信元アドレスとしてのホームアドレスを含むヘッダへ変換する。このときホームエージェントにはＭＩＰｖ６フォーマットによる外部アドレスとＩＰｖ４フォーマットによるホームアドレスとの対応関係が記憶されている。ホームエージェントによって変換されたヘッダの宛先アドレスはＩＰｖ４フォーマットによるデータソースのＩＰｖ４アドレスである。データパケットはホームエージェントＨＡからＩＰｖ４プロトコルを介してデータソースＣＮへ送信される。
【００２６】
データパケットをデータソースＣＮから端末機ＴＥへ伝送する際に、データソースＣＮによって形成されたヘッダは、ＩＰｖ４フォーマットにより、発信元アドレスとしてのデータソースのアドレスと宛先アドレスとしてのホームアドレスとを有する。このデータパケットはホームエージェントへ伝送され、そこでＭＩＰｖ６フォーマットにより、発信元アドレスとしてのホームエージェントのアドレスと宛先アドレスとしての外部アドレスＣｏＡとを含むデータパケットへ変換される。さらにデータソースＣＮのＩＰｖ４アドレスをＭＩＰｖ６フォーマットで含むルーティングヘッダが形成される。このようにして形成されたデータパケットはデータネットワークを介してデータ伝送装置ＭＴへ伝送される。このデータ伝送装置は新たなヘッダを形成する。この新たなヘッダはＩＰｖ４フォーマットにより、ルーティングヘッダを介して求められた発信元アドレスとしてのデータソースＣＮのアドレスと、宛先アドレスとしてのホームアドレスとを含む。このデータパケットはデータコネクションＤＬを介して端末機ＴＥへ送信され、そこでさらに処理される。
【００２７】
図２には端末機ＴＥおよびデータ伝送装置ＭＴによって処理されるプロトコルスタックが示されている。端末機のプロトコルスタックは物理層であるＬ１層、伝送媒体へのアクセスを制御するＬ２層、端末機とデータ伝送装置とのあいだのデータコネクションを制御するＰＰＰ層、任意のインターネットプロトコルであるＩＰ層、およびその上に形成されたアプリケーション層であるＡｐｐｌ層から成る。データ伝送装置はＬ１層、Ｌ２層、ＰＰＰ層およびモバイルＩＰ層から成っており、最後のモバイルＩＰ層は任意のモバイルＩＰプロトコルであってよい。モバイルＩＰ層は特にホームアドレスＨＡｄおよび外部ネットワークのアドレスＣｏＡを含む。プロトコルスタック間の２つの双方向矢印によって示されているように、ＰＰＰプロトコルを介してホームアドレスが端末機へ割り当てられ、端末機のＩＰプロトコルが使用される。
【図面の簡単な説明】
【００２８】
【図１】データネットワークの概略図である。
【図２】端末機内およびデータ伝送装置内で処理されるプロトコル層の概略図である。
【図１】
2006506869.tif 000003
【図２】
2006506869.tif 000004
【手続補正書】
【提出日】平成17年2月24日(2005.2.24)
【手続補正１】
【補正対象書類名】明細書
【補正対象項目名】０００４
【補正方法】変更
【補正の内容】
【０００４】
モバイル機能を有さないデータネットワークでは、異なるネットワークプロトコルを使用するコンピュータどうしのあいだで通信を行う伝送メカニズムが知られている。特に、ＩＰｖ４プロトコルのアドレスをＩＰｖ６プロトコルのアドレスへ変換できるプロトコル伝送メカニズムＮＡＴ−ＰＴ（Network Address Translation-Protocol Translation）が公知である（http://www.ietf.org/rfc/rfc2766.txtを参照）。ただしこの公知のメカニズムはモバイル機能を有するデータネットワークのためのものではなく、ネットワークセキュリティに不安があるなど、幾つかの欠点も有する。
国際公開第０１／４１３９５号明細書から、所定のネットワークプロトコルのパケットを別のネットワークプロトコルのパケットに封入する方法および装置が公知である。ここでは特にＩＰｖ６パケットをＩＰｖ４パケット内でトンネリングする手段が開示されている。
【手続補正２】
【補正対象書類名】特許請求の範囲
【補正対象項目名】全文
【補正方法】変更
【補正の内容】
【特許請求の範囲】
【請求項１】
端末機（ＴＥ）およびデータソース（ＣＮ）は第１のフォーマットで表されるアドレスが割り当てられた第１のネットワークプロトコルを使用しており、データネットワーク（Ｎ）では内部のコンピュータに対して第２のフォーマットで表されるアドレスが割り当てられた第２のネットワークプロトコルが使用されており、第１のネットワークプロトコルのアドレスは第２のフォーマットによっても表すことができる
端末機（ＴＥ）からデータソース（ＣＮ）へデータネットワーク（Ｎ）のホームエージェント（ＨＡ）を介して伝送を行う際のモバイル機能を有するネットワークにおけるデータパケットの処理方法において、
端末機（ＴＥ）を１つのホームネットワーク（Ｎ１）に割り当て、当該の端末機（ＴＥ）がホームネットワーク内にあるときにはこれに第１のネットワークプロトコルの第１のフォーマットで表されたホームアドレス（ＨＡｄ）を取得させ、
ホームエージェント（ＨＡ）は第１のネットワークプロトコルのアドレスおよび第２のネットワークプロトコルのアドレスの双方を処理可能であり、端末機（ＴＥ）に第２のフォーマットで表されたホームアドレスを割り当て、該ホームアドレスを変換ステップにおいて第１のフォーマットへ変換し、
端末機（ＴＥ）がホームネットワーク以外の外部ネットワーク（Ｎ２）内にあるときにはこれに第２のネットワークプロトコルの第２のフォーマットで表された第２のアドレス（ＣｏＡ）を取得させ、
第１の処理ステップにおいて、第１のフォーマットで表された発信元アドレスとしてのホームアドレス（ＨＡｄ）および宛先アドレスとしてのデータソース（ＣＮ）のアドレスを含むデータパケットを適合化して、該データパケットが第２のフォーマットで表された発信元アドレスとしての第２のアドレス、宛先アドレスとしてのホームエージェント（ＨＡ）のアドレスおよびその他のアドレスとしてのデータソース（ＣＮ）のアドレスを含むようにする
ことを特徴とするデータパケットの処理方法。
【請求項２】
第１の処理ステップおよび／または変換ステップを端末機（ＴＥ）に接続されたデータ伝送装置（ＭＴ）によって実行する、請求項１記載の方法。
【請求項３】
データ伝送装置（ＭＴ）と端末機（ＴＥ）とをＰＰＰコネクション（Point-to-Point Protocol）を介して接続する、請求項２記載の方法。
【請求項４】
第１の処理ステップで適合化されたデータパケットを第２の処理ステップで変更して、該データパケットが第１のフォーマットで表された発信元アドレスとしてのホームアドレス（ＨＡｄ）および宛先アドレスとしてのデータソース（ＣＮ）のアドレスを含むようにし、ここで第１のフォーマットで表されたデータソース（ＣＮ）のアドレスを第１の処理ステップで適合化されたデータパケットのその他のアドレスから求める、請求項１から３までのいずれか１項記載の方法。
【請求項５】
第１の処理ステップで適合化されたデータパケットをデータネットワーク（Ｎ）を介してホームエージェント（ＨＡ）へ伝送し、第２の処理ステップをホームエージェント（ＨＡ）によって実行し、ここで処理ステップに対してホームエージェント（ＨＡ）内に端末機（ＴＥ）の第２のアドレスとホームアドレスとの対応関係が記憶されており、第２の処理ステップで変更されたデータパケットをデータソース（ＣＮ）へ伝送する、請求項４項記載の方法。
【請求項６】
第１のネットワークプロトコルがモバイルＩＰｖ４サポートを有するＩＰｖ４またはモバイルＩＰｖ４サポートを有さないＩＰｖ４であり、第２のネットワークプロトコルがモバイルＩＰｖ６サポートを有するＩＰｖ６であるか、または第１のネットワークプロトコルがモバイルＩＰｖ６サポートを有するＩＰｖ６であり、第２のネットワークプロトコルがモバイルＩＰｖ４サポートを有するＩＰｖ４またはモバイルＩＰｖ４サポートを有さないＩＰｖ４である、請求項１から５までのいずれか１項記載の方法。
【請求項７】
第１の処理ステップで適合化されたデータパケットのその他のアドレスをデータパケットのルーティングヘッダとして記憶する、請求項６記載の方法。
【請求項８】
端末機（ＴＥ）およびデータソース（ＣＮ）は第１のフォーマットで表されるアドレスが割り当てられた第１のネットワークプロトコルを使用しており、データネットワーク（Ｎ）では内部のコンピュータに対して第２のフォーマットで表されるアドレスが割り当てられた第２のネットワークプロトコルが使用されており、第１のネットワークプロトコルのアドレスは第２のフォーマットによっても表すことができる
データソース（ＣＮ）から端末機（ＴＥ）へデータネットワーク（Ｎ）のホームエージェント（ＨＡ）を介して伝送を行う際のモバイル機能を有するネットワークにおけるデータパケットの処理方法において、
端末機（ＴＥ）を１つのホームネットワーク（Ｎ１）に割り当て、当該の端末機（ＴＥ）がホームネットワーク内にあるときにはこれに第１のネットワークプロトコルの第１のフォーマットで表されたホームアドレス（ＨＡｄ）を取得させ、
ホームエージェント（ＨＡ）は第１のネットワークプロトコルのアドレスおよび第２のネットワークプロトコルのアドレスの双方を処理可能であり、端末機（ＴＥ）に第２のフォーマットで表されたホームアドレスを割り当て、該ホームアドレスを変換ステップにおいて第１のフォーマットへ変換し、
端末機（ＴＥ）がホームネットワーク以外の外部ネットワーク（Ｎ２）内にあるときにはこれに第２のネットワークプロトコルの第２のフォーマットで表された第２のアドレス（ＣｏＡ）を取得させ、
第１の処理ステップにおいて、第１のフォーマットで表された発信元アドレスとしてのデータソース（ＣＮ）のアドレスおよび宛先アドレスとしてのホームアドレス（ＨＡｄ）を含むデータパケットを適合化して、該データパケットが第２のフォーマットで表された発信元アドレスとしてのホームエージェント（ＨＡ）のアドレス、宛先アドレスとしての端末機の第２のアドレス（ＣｏＡ）およびその他のアドレスとしてのデータソース（ＣＮ）のアドレスを含むようにする
ことを特徴とするデータパケットの処理方法。
【請求項９】
適合化すべきデータパケットをデータソース（ＣＮ）からホームエージェント（ＨＡ）へ伝送し、第１の処理ステップをホームエージェント（ＨＡ）によって実行し、ここで処理ステップに対してホームエージェント（ＨＡ）内に第２のアドレス（ＣｏＡ）と端末機のホームアドレス（ＨＡｄ）との対応関係が記憶されている、請求項８記載の方法。
【請求項１０】
第１の処理ステップで適合化されたデータパケットを第２の処理ステップで変更して、該データパケットが第１のフォーマットで表された発信元アドレスとしてのデータソース（ＣＮ）のアドレスおよび宛先アドレスとしてのホームアドレス（ＨＡｄ）を含むようにし、ここで第１のフォーマットで表されたデータソース（ＣＮ）のアドレスを第１の処理ステップで適合化されたデータパケットのその他のアドレスから求める、請求項８または９記載の方法。
【請求項１１】
第１の処理ステップで適合化されたデータパケットをデータネットワーク（Ｎ）を介して端末機（ＴＥ）に接続されたデータ伝送装置（ＭＴ）へ伝送し、第２の処理ステップをデータ伝送装置（ＭＴ）によって実行し、第２の処理ステップで変更されたデータパケットをデータ伝送装置（ＭＴ）から端末機（ＴＥ）へ伝送する、請求項１０記載の方法。
【請求項１２】
データ伝送装置（ＭＴ）と端末機（ＴＥ）とをＰＰＰコネクション（Point-to-Point Protocol）を介して接続する、請求項１１記載の方法。
【請求項１３】
第１のネットワークプロトコルがモバイルＩＰｖ４サポートを有するＩＰｖ４またはモバイルＩＰｖ４サポートを有さないＩＰｖ４であり、第２のネットワークプロトコルがモバイルＩＰｖ６サポートを有するＩＰｖ６であるか、または第１のネットワークプロトコルがモバイルＩＰｖ６サポートを有するＩＰｖ６であり、第２のネットワークプロトコルがモバイルＩＰｖ４サポートを有するＩＰｖ４またはモバイルＩＰｖ４サポートを有さないＩＰｖ４である、請求項８から１２までのいずれか１項記載の方法。
【請求項１４】
第１の処理ステップで適合化されたデータパケットのその他のアドレスをデータパケットのルーティングヘッダとして記憶する、請求項１３記載の方法。
【請求項１５】
請求項１または８記載の第１の処理ステップを実行するように構成されている
ことを特徴とするデータ伝送装置。
【請求項１６】
モバイル機、例えば移動無線端末機である、請求項１５記載のデータ伝送装置。
【請求項１７】
データソース（ＣＮ）と端末機（ＴＮ）とのあいだのデータ伝送を行うために、請求項１から１６までのいずれか１項記載のデータパケットの処理方法を実行するように構成されている
ことを特徴とするモバイル機能を有するデータネットワーク。
【請求項１８】
一部はインターネットである、請求項１８記載のデータネットワーク。
【請求項１９】
ホームネットワーク（Ｎ１）および／または外部ネットワーク（Ｎ２）は無線ネットワークであり、該無線ネットワークは例えばＧＰＲＳおよび／またはワイヤレスＬＡＮおよび／またはＢｌｕｅｔｏｏｔｈおよび／またはＵＭＴＳおよび／またはＣＭＤＡ２０００をベースとしている、請求項１７または１８記載のデータネットワーク。
【国際調査報告】
2006506869.tif 000005
2006506869.tif 000006
2006506869.tif 000007
2006506869.tif 000008
2006506869.tif 000009
2006506869.tif 000010